(57)【要約】  【課題】電断を悪用したカードの差し替え等の不正により遊技場に損害が発生することを防止する遊技用装置を提供する。  【解決手段】プリペイドカードを受け付けて、カードＩＤとカード度数を読み取り、使用可否判定要求をシステムコントローラに対して送信し、使用可である旨の判定結果を示す使用可否判定結果情報を受信したときに、読み取ったカードＩＤをＥＥＰＲＯＭに記憶する。そして、電断の発生を検出し、その後に電力の供給が復旧したことを検出したときに、受け付けているプリペイドカードのカードＩＤを再度読み取り、該読み取ったカードＩＤとＥＥＰＲＯＭに記憶しているカードＩＤとが一致しているか否かを判定し、一致していないと判定されたことを条件としてプリペイドカードを内部に留保する。【選択図】        図４
2005211140.tif 000002
【特許請求の範囲】
【請求項１】
遊技機に対応して設けられ、該遊技機での遊技に使用できる有価価値の大きさ及び当該記録媒体を個々に特定できる記録媒体特定情報が記録された記録媒体の使用可否の判定を行う管理装置と通信でき、
前記記録媒体を受け付けて、該受け付けた記録媒体の記録情報を読み取る処理を行う記録媒体処理手段と、
該記録媒体処理手段により受け付けた記録媒体の使用可否の判定を要求する使用可否判定要求を前記管理装置に対して送信する使用可否判定要求送信手段と、
該使用可否判定要求送信手段により送信した使用可否判定要求に応じて前記記録媒体の使用可否の判定を行った管理装置から送信されてくる、該記録媒体の使用可否の判定結果を示す使用可否判定結果情報を受信する使用可否判定結果情報受信手段と、
該使用可否判定結果情報受信手段により前記記録媒体が使用可である旨の判定結果を示す使用可否判定結果情報を受信したことを条件として、該記録媒体に記録された有価価値の大きさを前記遊技機での遊技に使用させるための遊技使用処理を行う遊技使用処理手段と、
を備える遊技用装置であって、
当該遊技用装置で用いられる電力の供給状態を監視する電力供給監視手段と、
当該遊技用装置への電力の供給が停止しても記憶内容を保持することができ、前記記録媒体処理手段により読み取った記録媒体特定情報を記憶する記録媒体特定情報記憶手段と、をさらに備え、
前記使用可否判定結果情報受信手段により前記記録媒体が使用可である旨の判定結果を示す使用可否判定結果情報を受信した後に前記電力供給監視手段により当該遊技用装置への電力の供給が停止したことを検出し、その後に前記電力供給監視手段により当該遊技用装置への電力の供給が復旧したことを検出したときに、前記記録媒体処理手段により受け付けている記録媒体の記録媒体特定情報を再度読み取り、
該読み取った記録媒体特定情報と前記記録媒体特定情報記憶手段により記憶している記録媒体特定情報とが一致しているか否かを判定する判定手段と、
該判定手段により記録媒体特定情報が一致していないと判定されたことを条件として、前記記録媒体処理手段により受け付けている記録媒体を返却せずに遊技用装置内部に留保する留保手段と、
をさらに備えることを特徴とする遊技用装置。
【請求項２】
請求項１に記載した遊技用装置であって、
前記判定手段により記録媒体特定情報が一致していると判定されたことを条件として、前記記録媒体処理手段により受け付けている記録媒体を返却することを特徴とする遊技用装置。
【請求項３】
請求項１に記載した遊技用装置であって、
前記使用可否判定要求送信手段は、前記判定手段により記録媒体特定情報が一致していると判定されたことを条件として、前記使用可否判定要求を前記管理装置に対して再度送信することを特徴とする遊技用装置。
【請求項４】
請求項１〜３のいずれか１つに記載した遊技用装置であって、
記録媒体特定情報記憶手段により記憶している記録媒体特定情報と異なる記録媒体特定情報が記録された記録媒体を前記留保手段により留保している旨を報知する留保報知手段をさらに備えることを特徴とする遊技用装置。
【発明の詳細な説明】
【技術分野】
【０００１】
本発明は、遊技機に対応して設けられ、該遊技機での遊技に使用できる有価価値の大きさ及び当該記録媒体を個々に特定できる記録媒体特定情報が記録された記録媒体を受け付けて、該記録媒体に記録された有価価値の大きさを遊技機での遊技に使用させるための遊技使用処理を行う遊技用装置に関する。
【背景技術】
【０００２】
従来より、例えば特許文献１に示すように、遊技用装置（カードユニット）が会員カードを受け付けて、該受け付けた会員カードの使用許諾要求と、会員カードから読み取った会員ＩＤや度数等をシステムコントローラに送信し、システムコントローラにおいて、受信した情報に基づいて会員カードの使用可否の判定を行い、使用可否の判定結果を使用許諾要求の送信元のカードユニットに返信し、カードユニットは使用可の判定結果（使用許諾）を受信したことを条件に、会員カードの度数を使用して玉貸を行う遊技用システムが提案されている。
【０００３】
【特許文献１】特開２００３−１９０５７７号公報（第１５頁，図１８）
【発明の開示】
【発明が解決しようとする課題】
【０００４】
上記のような遊技用システムにおいて、システムコントローラから使用可の判定結果を受信した後にカードユニットにおいて電力の供給の停止（以下「電断」と呼ぶ）が発生した場合、電断復帰後に電断前から受け付けているカードの度数（又は残額）を使用した玉貸を行うこととすると、故意に電断を発生させ、電断中に受け付けているカードを不正に度数（又は残額）が記録されたカードに差し替える等の不正が行われたときにも、当該不正な度数（又は残額）に基づいて玉貸がなされてしまい、遊技場が損害を被るという問題がある。
【０００５】
本発明は、このような背景のもとになされたものであり、その目的は、電断を悪用したカードの差し替え等の不正により遊技場に損害が発生することを防止する遊技用装置を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技機（パチンコ機１０）に対応して設けられ、該遊技機での遊技に使用できる有価価値の大きさ（カード度数）及び当該記録媒体を個々に特定できる記録媒体特定情報（カードＩＤ）が記録された記録媒体（プリペイドカード５）の使用可否の判定を行う管理装置（システムコントローラ５０）と通信でき、前記記録媒体を受け付けて、該受け付けた記録媒体の記録情報（カードＩＤ，カード度数）を読み取る処理を行う記録媒体処理手段（プリペイドカードＲ／Ｗ２７）と、該記録媒体処理手段により受け付けた記録媒体の使用可否の判定を要求する使用可否判定要求を前記管理装置に対して送信する使用可否判定要求送信手段（システムコントローラ用通信部２８）と、該使用可否判定要求送信手段により送信した使用可否判定要求に応じて前記記録媒体の使用可否の判定を行った管理装置から送信されてくる、該記録媒体の使用可否の判定結果を示す使用可否判定結果情報を受信する使用可否判定結果情報受信手段（システムコントローラ用通信部２８）と、該使用可否判定結果情報受信手段により前記記録媒体が使用可である旨の判定結果を示す使用可否判定結果情報を受信したことを条件として、該記録媒体に記録された有価価値の大きさを前記遊技機での遊技に使用させるための遊技使用処理（カード玉貸処理）を行う遊技使用処理手段（ユニット制御部２２）と、を備える遊技用装置（カードユニット２０）であって、当該遊技用装置で用いられる電力の供給状態を監視する電力供給監視手段（ユニット制御部２２，電源基板３０）と、当該遊技用装置への電力の供給が停止しても記憶内容を保持することができ、前記記録媒体処理手段により読み取った記録媒体特定情報を記憶する記録媒体特定情報記憶手段（ＥＥＰＲＯＭ２９）と、をさらに備え、前記使用可否判定結果情報受信手段により前記記録媒体が使用可である旨の判定結果を示す使用可否判定結果情報を受信した後に前記電力供給監視手段により当該遊技用装置への電力の供給が停止したことを検出し、その後に前記電力供給監視手段により当該遊技用装置への電力の供給が復旧したことを検出したときに、前記記録媒体処理手段により受け付けている記録媒体の記録媒体特定情報を再度読み取り、該読み取った記録媒体特定情報と前記記録媒体特定情報記憶手段により記憶している記録媒体特定情報とが一致しているか否かを判定する判定手段（ユニット制御部２２）と、該判定手段により記録媒体特定情報が一致していないと判定されたことを条件として、前記記録媒体処理手段により受け付けている記録媒体を返却せずに遊技用装置内部に留保する留保手段（プリペイドカードＲ／Ｗ２７）と、をさらに備えることを特徴とする遊技用装置である。
【０００８】
また請求項２に係る発明は、請求項１に記載した遊技用装置（カードユニット２０）であって、前記判定手段（ユニット制御部２２）により記録媒体特定情報（カードＩＤ）が一致していると判定されたことを条件として、前記記録媒体処理手段（プリペイドカードＲ／Ｗ２７）により受け付けている記録媒体（プリペイドカード５）を返却することを特徴とする遊技用装置である。
【０００９】
また請求項３に係る発明は、請求項１に記載した遊技用装置（カードユニット２０）であって、前記使用可否判定要求送信手段（システムコントローラ用通信部２８）は、前記判定手段（ユニット制御部２２）により記録媒体特定情報（カードＩＤ）が一致していると判定されたことを条件として、前記使用可否判定要求を前記管理装置（システムコントローラ５０）に対して再度送信することを特徴とする遊技用装置である。
【００１０】
さらに請求項４に係る発明は、請求項１〜３のいずれか１つに記載した遊技用装置（カードユニット２０）であって、記録媒体特定情報記憶手段（ＥＥＰＲＯＭ２９）により記憶している記録媒体特定情報（カードＩＤ）と異なる記録媒体特定情報が記録された記録媒体（プリペイドカード５）を前記留保手段（プリペイドカードＲ／Ｗ２７）により留保している旨を報知する留保報知手段（多機能ランプ３１）をさらに備えることを特徴とする遊技用装置である。
【発明の効果】
【００１１】
まず請求項１に係る遊技用装置によれば、電力の供給が停止する前と電力の供給が復旧した後で、受け付けている記録媒体の記録媒体特定情報が一致しなければ該記録媒体を返却せずに遊技用装置内部に留保するので、該記録媒体に記録された有価価値の大きさが使用されることが無く、電断を悪用した記録媒体の差し替え等の不正により遊技場に損害が発生することを防止することができる。また、不正の恐れのある記録媒体を証拠として確保し、検証することができる。
【００１２】
また請求項２に係る遊技用装置によれば、電力の供給が停止する前と電力の供給が復旧した後で、受け付けている記録媒体の記録媒体特定情報が一致したときには該記録媒体を返却するので、不正の可能性の低い場合にまで記録媒体が留保されることが無く、遊技場の売上げ低下を招くことが無い。さらに、遊技使用処理を行うためには、記録媒体を再度受け付けて使用可否判定要求を送信する必要が有るため、不正な記録媒体の使用により遊技場に損害が発生することを防止することができる。
【００１３】
また請求項３に係る遊技用装置によれば、電力の供給が停止する前と電力の供給が復旧した後で、受け付けている記録媒体の記録媒体特定情報が一致したときには使用可否判定要求を再度送信するので、不正の可能性の低い場合にまで記録媒体が留保されることが無く、遊技場の売上げ低下を招くことが無い一方、不正な記録媒体の使用により遊技場に損害が発生することを防止することができる。さらに、記録媒体を返却する場合に比べて、再度の記録媒体を挿入する操作が必要無いので、遊技者の手間を省くことができる。
【００１４】
また請求項４に係る遊技用装置によれば、電力の供給が停止する前に記憶していた記録媒体特定情報と異なる記録媒体特定情報が記録された記録媒体を留保している旨を報知するので、遊技場の店員は、不正行為が行われた可能性のある遊技用装置を把握して迅速に対応することができる。
【発明を実施するための最良の形態】
【００１５】
以下、発明を実施するための最良の形態を、図面を参照して説明する。本発明の遊技用装置は、図１及び図２に示すように遊技場内において、遊技機（パチンコ機１０）に対応して設けられ、該遊技機での遊技に使用できる有価価値の大きさ（カード度数）及び当該記録媒体を個々に特定できる記録媒体特定情報（カードＩＤ）が記録された記録媒体（プリペイドカード５）を受け付けて、該記録媒体の使用可否の判定を要求する使用可否判定要求を管理装置（システムコントローラ５０）に対して送信し、該管理装置から使用可である旨の判定結果を示す使用可否判定結果情報を受信したことを条件として、前記記録された有価価値の大きさを遊技機での遊技に使用させるための遊技使用処理（カード玉貸処理）を行うカードユニット２０である。このカードユニット２０は、当該カードユニット２０への電力の供給が停止しても記憶内容を保持することができ、読み取った記録媒体特定情報を記憶する記録媒体特定情報記憶手段（ＥＥＰＲＯＭ２９）を備え、当該カードユニット２０への電力の供給が停止したことを検出し、その後に電力の供給が復旧したことを検出したときに、受け付けている記録媒体の記録媒体特定情報を再度読み取り、該読み取った記録媒体特定情報と前記記録媒体特定情報記憶手段により記憶している記録媒体特定情報とが一致しているか否かを判定し、一致していないと判定されたことを条件として、受け付けている記録媒体を返却せずに内部に留保することを特徴とするものである。
【００１６】
ここで本発明には、図４に示すように、上記判定によって記録媒体特定情報（カードＩＤ）が一致していると判定されたことを条件として、記録媒体処理手段（プリペイドカードＲ／Ｗ２７）により受け付けている記録媒体（プリペイドカード５）を返却する第１実施形態に係る遊技用装置（カードユニット２０）と、図５に示すように、上記判定によって記録媒体特定情報（カードＩＤ）が一致していると判定されたことを条件として、前記使用可否判定要求を管理装置（システムコントローラ５０）に対して再度送信する第２実施形態に係る遊技用装置（カードユニット２０）と、が含まれる。以下においては、まず第１実施形態に係る遊技用装置について説明し、次に第２実施形態に係る遊技用装置について第１実施形態に係る遊技用装置と異なる点についてのみ説明する。
【００１７】
なお、本例では電力の供給が停止することを電断と呼び、この電断は電力の供給が一時的に完全に停止する場合に限らず、カードユニット２０に供給される電圧が、当該カードユニット２０が動作しなくなる程度となる場合も含む。
【００１８】
［１．第１実施形態に係るカードユニット２０］
まず、図１及び図２を参照して、第１実施形態に係る遊技用装置であるカードユニット２０の構成について説明する。なお、以下においては、リーダライタを「Ｒ／Ｗ」，データベースを「ＤＢ」と略記する。また、本例の遊技用装置では、紙幣２，硬貨３，封入カード４，及びプリペイドカード５が使用される。
【００１９】
このカードユニット２０で使用される紙幣２は、図２に示すように、1000円紙幣である。また硬貨３は、図２に示すように、100円硬貨，及び500円硬貨の２種類の硬貨である。これら紙幣２及び硬貨３は、遊技用装置外部から挿入されて使用される。これらの紙幣２及び硬貨３は後述する現金玉貸処理において使用される。
【００２０】
封入カード４は、プリペイドカード５が受け付けられていない状態で後述する紙幣識別機２３又は硬貨識別機２４により受け付けられ、使用可能な貨幣と識別された（即ち入金された）紙幣２又は硬貨３の金額（入金金額）を記憶するものである。この記録された入金金額に相当する数のパチンコ玉（例えば１００円で２５個）の貸出（以下「現金玉貸処理」と呼ぶ）により、プリペイドカード５を所有していない遊技者であっても、新たにプリペイドカード５を購入することなく貨幣（紙幣２又は硬貨３）を使用して遊技を行うことが可能となる。
【００２１】
この封入カード４は、長方形状を呈するプラスチック製の薄板における所定の部位に、前記入金金額等が記録される記録領域（図示外）が形成されてなるものであり、ここでは該記録領域として不揮発性のＥＥＰＲＯＭを備える非接触式の集積回路を搭載したＩＣカードである。この封入カード４は、遊技者が指触不能な態様でカードユニット２０の内部に封入されている。
【００２２】
プリペイドカード５は記録媒体の一例であって、遊技機であるパチンコ機１０での遊技に使用できる有価価値の大きさであるカード度数と、プリペイドカード５を個々に特定できる記録媒体特定情報であるカードＩＤが記録されている。このプリペイドカード５は、長方形状を呈するプラスチック製の薄板における所定の部位に、カード度数及びカードＩＤ等が記録される記録領域（図示外）が形成されてなるものであり、ここでは該記録領域として不揮発性のＥＥＰＲＯＭを備える非接触式の集積回路を搭載したＩＣカードである。このプリペイドカード５を有する遊技者は、該プリペイドカード５に記録されたカード度数を使用したパチンコ玉の貸出（以下「カード玉貸処理」と呼ぶ）によって遊技を行うことが可能となる。このプリペイドカード５は、遊技用装置外部から挿入されて使用される。なお、図示しない発行装置に貨幣を挿入することにより、当該貨幣額に対応するカード度数（挿入された貨幣の金額を１００で除した値であり、例えば１０００円の金額に対して１０度数）の記録されたプリペイドカード５が発行される。
【００２３】
パチンコ機１０は遊技機の一例であって、遊技場における遊技島（図示外）において機種等に従って所定の位置に配置され、遊技媒体であるパチンコ玉を遊技領域に打ち込むことにより遊技を行うものであり、ここでは対応するカードユニット２０と通信可能であり、該カードユニット２０との間でパチンコ玉の貸与に関する信号のやり取りが行われて玉貸処理（前述したカード玉貸処理又は現金玉貸処理）が行われる、いわゆるＣＲ式のパチンコ機である。
【００２４】
このパチンコ機１０は、図２（ａ）に示すように、その前面に遊技領域，上皿，下皿，及び発射ハンドル等を備えると共に、残度数表示器１４，玉貸ボタン１５，及びカード返却ボタン１６を備え、図１に示すように、その内部に遊技制御基板１１，払出制御基板１２，及び玉払出装置１３等を備えており、これらの各構成要素は図１に示すように接続されている。
【００２５】
遊技制御基板１１は、パチンコ機１０における遊技状態を制御するものである。払出制御基板１２は、カードユニット２０の後述する玉貸通信部２１と通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。
【００２６】
残度数表示器１４は、後述するユニット制御部２２のＲＡＭに記憶されているカード度数（プリペイドカード５に記録されているカード度数）を、残度数として表示するための表示器である。また、現金玉貸処理が行われるときには、後述する制御部２２のＲＡＭに記憶されている入金金額に相当する度数（例えば１００円＝１度数）を、残度数として表示する。
【００２７】
玉貸ボタン１５は、カード玉貸処理を行うための玉貸操作を受け付けるボタンである。この玉貸ボタン１５が押下操作されて玉貸操作が受け付けられることにより、前述したカード玉貸処理が行われる。なお前述した現金玉貸処理は、玉貸操作の受付によらずに行われる。
【００２８】
カード返却ボタン１６は、後述する遊技媒体処理手段（プリペイドカードＲ／Ｗ２７）により受け付けているプリペイドカード５を遊技者に返却するための返却操作を受け付けるボタンである。具体的には、遊技者がこのカード返却ボタン１６を押下操作することによって、該押下操作の検出信号が払出制御基板１２に入力され、さらに払出制御基板１２からカード返却ボタン１６が操作された旨を示す信号が後述する玉貸通信部２１及びユニット制御部２２を介してカードＲ／Ｗ制御部２５に入力され、カードＲ／Ｗ制御部２５がプリペイドカード５を排出するための制御信号をプリペイドカードＲ／Ｗ２７に送信し、プリペイドカードＲ／Ｗ２７が受け付けているプリペイドカード５を排出して返却する。
【００２９】
カードユニット２０は遊技用装置の一例であって、図２（ａ）に示すように、パチンコ機１０に対応して（ここではパチンコ機１０の左側に隣接して）設けられており、図１に示すように後述する管理装置であるシステムコントローラ５０と通信可能に接続されている。このカードユニット２０は、縦長の箱型の形状を呈するものであり、図２（ａ）に示すように、その前面に多機能ランプ３１，紙幣挿入口２３ａ，紙幣利用可ランプ２３ｂ，硬貨挿入口２４ａ，硬貨利用可ランプ２４ｂ，硬貨返却ボタン２４ｅ，硬貨返却口２４ｇ，封入カード確認窓２６ａ，及びプリペイドカード挿入口２７ａ等を備え、図１及び図２（ｂ），（ｃ）に示すように、その内部に紙幣識別機２３，ユニット制御部２２，玉貸通信部２１，ＥＥＰＲＯＭ２９，電源基板３０，リセットボタン３２，硬貨識別機２４，封入カードＲ／Ｗ２６，プリペイドカードＲ／Ｗ２７，カードＲ／Ｗ制御部２５，及びシステムコントローラ用通信部２８等を備えており、これらの各構成要素は図１に示すように接続されている。
【００３０】
玉貸通信部２１は、パチンコ機１０に設けられる払出制御基板１２と接続されている。これにより、パチンコ機１０とカードユニット２０との間でパチンコ玉の貸出に関する信号のやり取りが行われる。
【００３１】
ユニット制御部２２は、ＣＰＵ，ＲＡＭ，ＲＯＭ等を備えており、ＲＯＭに記憶されている処理プログラムがＲＡＭを作業領域としてＣＰＵで実行されることにより、接続される各構成要素（ここでは、図１に示す玉貸通信部２１，カードＲ／Ｗ制御部２５，紙幣識別機２３，紙幣利用可ランプ２３ｂ，硬貨識別機２４，硬貨利用可ランプ２４ｂ，ＥＥＰＲＯＭ２９，電源基板３０，多機能ランプ３１，リセットボタン３２）の動作を制御して（又は各構成要素からの信号を受信して）各種の処理を行うものである。このユニット制御部２２のＲＡＭには、後述するプリペイドカードＲ／Ｗ２７にて受け付けたプリペイドカード５から読み取られ、カードＲ／Ｗ制御部２５から送信されてきたカード度数が記憶される。また現金玉貸処理の際には、前記入金金額が一時的に記憶される。
【００３２】
このユニット制御部２２は遊技使用処理手段の一例であって、後述する使用可否判定結果情報受信手段（システムコントローラ用通信部２８）によりプリペイドカード５が使用可である旨の判定結果を示す使用可否判定結果情報を受信したことを条件として、該プリペイドカード５に記録されたカード残額（即ちＲＡＭに記憶されたカード残額）をパチンコ機１０での遊技に使用させるためのカード玉貸処理を行うものである。また、本例では、封入カード４に記録された入金金額（即ちＲＡＭに記憶された入金金額）をパチンコ機１０での遊技に使用させるための現金玉貸処理を行うものでもある。
【００３３】
さらにユニット制御部２２は判定手段の一例であって、後述するプリペイドカードＲ／Ｗ２７により読み取ったカードＩＤと後述する記録媒体特定情報記憶手段（ＥＥＰＲＯＭ２９）により記憶しているカードＩＤとが一致しているか否かを判定するものであり、電力の供給が復旧したことを検出したときにこの判定を行う。
【００３４】
紙幣識別機２３は紙幣２を受け付けるものであり、ここではプリペイドカード５が後述するプリペイドカードＲ／Ｗ２７に受け付けられていない状態のときに、紙幣挿入口２３ａから紙幣２（ここでは1000円紙幣）を受け付けて、該受け付けた紙幣２を識別する識別機である。なお紙幣識別機２３により使用可能な紙幣と識別された紙幣２は、紙幣通路２３ｃを通じてカードユニット２０の背面から外部に排出され、遊技島に設けられた紙幣搬送機構（図示外）により搬送されて、金庫（図示外）に回収される。また、カードユニット２０がプリペイドカード５を受け付けている状態のときや、受け付けた紙幣が使用不可能な紙幣と識別された場合には、紙幣挿入口２３ａから紙幣を返却する。
【００３５】
紙幣利用可ランプ２３ｂは紙幣挿入口２３ａの横に設けられ、紙幣２を受付可能な状態である旨を報知するためのランプであり、紙幣識別機２３が紙幣２を受付可能な状態のときに点灯し、受付不可能な状態のとき（プリペイドカード５が受け付けられている状態や図４のＳ２０３に示すように電力の復旧を検出した直後等）には消灯している。
【００３６】
硬貨識別機２４は硬貨３を受け付けるものであり、ここではプリペイドカード５が後述するプリペイドカードＲ／Ｗ２７に受け付けられていない状態のときに、硬貨挿入口２４ａから前記２種類の硬貨３を受け付けて、硬貨通路２４ｃを通じて搬送された硬貨３を識別する識別機である。なお硬貨識別機２４により使用可能な硬貨と識別された硬貨３も、硬貨通路２４ｄを通じてカードユニット２０の背面から外部に排出され、遊技島に設けられた硬貨搬送機構（図示外）により搬送されて、金庫（図示外）に回収される。硬貨返却ボタン２４ｅは、硬貨通路２４ｃや硬貨識別機２４において詰まった硬貨３の返却操作を受け付けるためのボタンであり、遊技者により硬貨返却ボタン２４ｅが操作されると、該詰まった硬貨３が硬貨通路２４ｆを通じて硬貨返却口２４ｇに戻る。また、カードユニット２０がプリペイドカード５を受け付けている状態のときや、受け付けた硬貨が使用不可能な硬貨と識別された場合には、硬貨排出口２４ｇから硬貨を返却する。
【００３７】
硬貨利用可ランプ２４ｂは硬貨挿入口２４ａの横に設けられ、硬貨３を受付可能な状態である旨を報知するためのランプであり、硬貨識別機２４が硬貨３を受付可能な状態のときに点灯し、受付不可能な状態のとき（プリペイドカード５が受け付けられている状態や図４のＳ２０３に示すように電力の復旧を検出した直後等）には消灯している。
【００３８】
カードＲ／Ｗ制御部２５は、ＣＰＵ，ＲＡＭ，ＲＯＭ等を備えており、ＲＯＭに記憶されている処理プログラムがＲＡＭを作業領域としてＣＰＵで実行されることにより、図１に示すように該カードＲ／Ｗ制御部２５に接続される封入カードＲ／Ｗ２６，プリペイドカードＲ／Ｗ２７，及びシステムコントローラ用通信部２８の動作を制御して各種の処理を行うものである。このカードＲ／Ｗ制御部２５は、ユニット制御部２２と通信可能に接続されており、ユニット制御部２２との各種情報の送受が可能となっている。
【００３９】
封入カードＲ／Ｗ２６は、該封入カードＲ／Ｗ２６の内部に封入されている封入カード４に対して、プリペイドカード５が受け付けられていない状態で紙幣識別機２３又は硬貨識別機２４により受け付けられ、使用可能と識別された（即ち入金された）紙幣２又は硬貨３の金額（入金金額）を記録する処理を行うと共に、該封入カード４に記録された入金金額を読み取るものであり、ここでは前記ＩＣカードである封入カード４に対応したＩＣカードＲ／Ｗを備えている。なお封入カードＲ／Ｗ２６の内部に封入されている封入カード４は、封入カード確認窓２６ａを介して遊技者が視認可能であると共に指触不能である。
【００４０】
プリペイドカードＲ／Ｗ２７は記録媒体処理手段の一例であって、プリペイドカード５を受け付けて、該受け付けたプリペイドカード５の記録情報を読み取る処理を行うものであり、プリペイドカード挿入口２７ａから挿入されたプリペイドカード５を受け付けて、該受け付けたプリペイドカード５に記録されているカードＩＤ及びカード度数を読み取る処理を行う。また、プリペイドカードＲ／Ｗ２７は、プリペイドカード５に更新後のカード度数を記録する（書き込む）ものであり、ここでは前記ＩＣカードであるプリペイドカード５に対応したＩＣカードＲ／Ｗを備えている。
【００４１】
また記録媒体処理手段として機能するプリペイドカードＲ／Ｗ２７は、後述する図４に示すように、使用可否判定結果情報受信手段（システムコントローラ用通信部２８）によりプリペイドカード５が使用可である旨の判定結果を示す使用可否判定結果情報を受信した後に、後述する電力供給監視手段（ユニット制御部２２及び電源基板３０）により当該カードユニット２０への電力の供給が停止したことを検出し、その後に電力供給監視手段（ユニット制御部２２）により当該カードユニット２０への電力の供給が復旧したことを検出したときに、当該プリペイドカードＲ／Ｗ２７により受け付けているプリペイドカード５に記録されているカードＩＤを再度読み取る処理を行う。本例ではこのときカード度数も読み取る。
【００４２】
さらにプリペイドカードＲ／Ｗ２７は留保手段の一例であって、判定手段（ユニット制御部２２）により記録媒体特定情報（カードＩＤ）が一致していないと判定されたことを条件として、記録媒体処理手段（プリペイドカードＲ／Ｗ２７）により受け付けているプリペイドカード５を返却せずにカードユニット内部に留保するものである。具体的には、このプリペイドカードＲ／Ｗ２７は、受け付けている（挿入されている）プリペイドカード５をロックするためのロック機構を有しており、判定手段（ユニット制御部２２）により記録媒体特定情報（カードＩＤ）が一致していないと判定されたときに、受け付けているプリペイドカード５が前記ロック機構によって抜き取り不能にロックされ、該プリペイドカードＲ／Ｗ２７内に留保される。この留保された状態では、返却ボタン１５が操作されてもプリペイドカード５は返却されない。
【００４３】
なお、本第１実施形態においては、判定手段（ユニット制御部２２）により記録媒体特定情報（カードＩＤ）が一致していると判定されたときには、前記記録媒体処理手段（プリペイドカードＲ／Ｗ２７）により受け付けているプリペイドカード５が排出され、返却される。
【００４４】
システムコントローラ用通信部２８は、後述するシステムコントローラ５０の通信部５１と通信可能に接続されており、カードユニット２０とシステムコントローラ５０との間における通信を司るものである。
【００４５】
このシステムコントローラ用通信部２８は使用可否判定要求送信手段の一例であって、プリペイドカードＲ／Ｗ２７により受け付けたプリペイドカード５の使用可否の判定を要求する使用可否判定要求を後述する管理装置（システムコントローラ５０）に対して送信するものである。この使用可否判定要求には、前記プリペイドカードＲ／Ｗ２７が読み取ったカードＩＤとカード度数，及び当該カードユニット２０を識別可能な装置ＩＤが含まれる。
【００４６】
またシステムコントローラ用通信部２８は使用可否判定結果情報受信手段の一例であって、上記使用可否判定要求送信手段（システムコントローラ用通信部３２）により送信した使用可否判定要求に応じて前記プリペイドカード５の使用可否の判定を行った管理装置（システムコントローラ５０）から送信されてくる、該プリペイドカード５の使用可否の判定結果を示す使用可否判定結果情報を受信するものである。
【００４７】
不揮発性メモリであるＥＥＰＲＯＭ２９は記録媒体特定情報記憶手段の一例であって、当該カードユニット２０への電力の供給が停止しても記憶内容を保持することができるものであり、プリペイドカードＲ／Ｗ２７により読み取ったカードＩＤを記憶する。なお本例では、プリペイドカードＲ／Ｗ２７により読み取ったカードＩＤは、後述するシステムコントローラ５０から送信され、プリペイドカード５が使用可である旨の判定結果を示す使用可否判定結果情報を、システムコントローラ用通信部２８が受信したことを条件として、カードＲ／Ｗ制御部２５からユニット制御部２２に送信され、ＥＥＰＲＯＭ２９に記憶される。また本例では、後述する電力供給監視手段により電断の発生が検出された際に、電断が発生した旨がこのＥＥＰＲＯＭ２９に記憶される。
【００４８】
電源基板３０は、外部の交流電源から供給される交流電圧のレベルを変換するトランス，該レベル変換後の交流電圧から直流電圧を生成する整流回路，該整流回路により生成された直流電圧を各電機部品の動作電圧レベルに変換して出力するためのＤＣ−ＤＣコンバータ等を備えていて、カードユニット２０の各電機部品に直流電圧を供給する役割を果たす。なお、このＤＣ−ＤＣコンバータの入力側には比較的大容量のコンデンサが接続されている。従って、外部からのカードユニット２０に対する電力供給が停止したとき（電断が発生したとき）に、各電機部品に供給される直流電圧は、比較的緩やかに低下する。また、電源基板３０には、電源監視回路としての電源監視用ＩＣが搭載されている。電源監視用ＩＣは、前記ＤＣ−ＤＣコンバータ入力側の直流電圧が低下して所定値以下になった場合に、電断が生ずるとして電断検出信号をユニット制御部２２に対して出力し、ユニット制御部２２は電断検出信号の受信によって電断の発生を認識する。なお、前記所定値は通常時の電圧よりも低いが、前記電機部品（特にユニット制御部２２）が動作する程度の電圧である。従って、ユニット制御部２２は、当該ユニット制御部２２に供給される直流電圧が動作電圧より低くなる前に電断の発生を認識し、これに応じた所定の処理（例えばＥＥＰＲＯＭ２９に電断が発生した旨を記憶する等）を行うことが出来る。
【００４９】
即ちユニット制御部２２及び電源基板３０は電力供給監視手段の一例であって当該カードユニット２０で用いられる電力の供給状態を監視するものであり、当該カードユニット２０への電力の供給が停止したこと（電断が発生したこと）を検出するものである。ここでユニット制御部２２は、電断検出信号を受信したときに、電断が発生した旨をＥＥＰＲＯＭ２９に記憶しておく。なお、カードユニット２０への電力の供給が復旧したときには外部の交流電源から交流電圧が再び供給され、前記各電機部品に通常の直流電圧が供給される。このとき電力供給監視手段として機能するユニット制御部２２は、ＥＥＰＲＯＭ２９の記憶内容を参照して電断が発生した旨が記憶されていることを確認し、電力の供給が復旧したこと（電断が発生した後に電力が供給されたこと）を検出して、これに応じた所定の処理（例えば前述した判定手段によるカードＩＤの一致判定等）を行うことが出来る。
【００５０】
多機能ランプ３１は、予め定められた複数の色のうちのいずれかの色で点灯又は点滅することによってカードユニット２０の状態を報知するランプである。この多機能ランプ３１はここでは通常状態では緑で点灯しており、プリペイドカード５が受け付けられている状態では青で点灯する。また図４のＳ２０３に示すように電力の復旧を検出した直後には消灯している。
【００５１】
また多機能ランプ３１は留保報知手段の一例であって、記録媒体特定情報記憶手段（ＥＥＰＲＯＭ２９）により記憶しているカードＩＤと異なるカードＩＤが記録されたプリペイドカード５を留保手段（プリペイドカードＲ／Ｗ２７）により留保している旨を報知するものであり、ここでは図４のＳ２２２に示すように赤で点滅することにより報知する。
【００５２】
リセットボタン３２は、図２（ｂ）に示すようにカードユニット２０の背面側（島側）に設けられている。このリセットボタン３２が、遊技場の店員によって押圧操作されると、ＥＥＰＲＯＭ２９にカードＩＤが記憶されている場合にはこれが消去され、プリペイドカードＲ／Ｗ２７にプリペイドカード５が留保されている場合（即ち前述したようにロックされている場合）には、該プリペイドカード５の留保が解除され（即ちロックが解除され）、プリペイドカード挿入口２７ａから排出される。
【００５３】
システムコントローラ５０は管理装置の一例であって、プリペイドカード５の使用可否の判定を行うものである。このシステムコントローラ５０は、遊技場内の所定箇所（例えば管理事務所等）に設けられ、図１に示すように通信部５１，制御部５２，及びハードディスク５３等を備える。これらの各構成要素は図１に示すように接続されている。
【００５４】
通信部５１は、カードユニット２０のシステムコントローラ用通信部２８と通信可能に接続されており、システムコントローラ５０とカードユニット２０との間における通信を司るものであり、カードユニット２０から送信される使用可否判定要求を受信する。また、プリペイドカード５の使用可否の判定結果を示す使用可否判定結果情報をカードユニット２０に対して送信する。
【００５５】
記憶装置であるハードディスク５３は、図１に示すカード度数ＤＢを記憶している。このカード度数ＤＢは、各プリペイドカード５に記録されているカードＩＤと対応付けてカード度数を管理している。
【００５６】
制御部５２は、ＣＰＵ，ＲＡＭ，ＲＯＭ等を備えており、ハードディスク５３に記憶されている処理プログラムがＲＡＭを作業領域としてＣＰＵで実行されることにより、接続される各構成要素の動作を制御して各種の処理を行うものである。この制御部５２は、通信部５１が受信した使用可否判定要求に含まれるカードＩＤと対応付けてカード度数ＤＢで管理しているカード度数と、同使用可否判定要求に含まれるカード度数とを照合する。ここで、使用可否判定要求に含まれるカード度数とカード度数ＤＢで管理しているカード度数が一致するときには、同使用可否判定要求に含まれる装置ＩＤのカードユニット２０に対してプリペイドカード５が使用可である旨の判定結果を示す使用可否判定結果情報を通信部５１より送信する。また、使用可否判定要求に含まれるカード度数とカード度数ＤＢで管理しているカード度数が一致しなかったときには、前記カードユニット２０に対してプリペイドカード５が使用不可である旨の判定結果を示す使用可否判定結果情報を通信部５１より送信する。
【００５７】
また制御部５２は、後述する図３のＳ１３４に示すように、カード玉貸処理が行われたカードユニット２０からカードＩＤと使用度数を受信したときに、該カードＩＤと対応付けてカード情報ＤＢで管理しているカード度数から、該受信した使用度数を減算する処理を行う。
【００５８】
次に、カードユニット２０の作用について説明する。まず図示しないが、カードユニット２０において貨幣が受け付けられて、現金玉貸処理が行われる場合の作用について説明する。この現金玉貸処理においては、紙幣２（1000円紙幣）及び硬貨３(500円硬貨及び100円硬貨)が使用可能である。
【００５９】
プリペイドカード５が受け付けられていない状態で、紙幣２又は硬貨３が紙幣挿入口２３ａ又は硬貨挿入口２４ａから挿入されると、紙幣識別機２３又は硬貨識別機２４により識別が行われ、識別ＯＫであれば識別された貨幣に対応する入金金額（例えば１０００円）が、ユニット制御部２２のＲＡＭに記憶されると共にカードＲ／Ｗ制御部２５に送信され、カードＲ／Ｗ制御部２５は受信した入金金額を封入カードＲ／Ｗ２６により封入カード４に記録した後に読み出し、読み出した入金金額をユニット制御部２２に送信する。これを受信したユニット制御部２２は、入金金額に相当する度数（ここでは１０度数）を残度数表示器１４に表示した後、玉貸処理（現金玉貸処理）を開始する。
【００６０】
まず、玉貸通信部２１から１度数に相当するパチンコ玉数（例えば消費税を考慮しないのであれば２５個、消費税を考慮するのであれば消費税率に応じて２４個，２３個…等の、具体的な玉数であり、予めシステムコントローラ５０等により設定され、カードユニット２０に配信されている）である払出要求玉数のパチンコ玉の払出を要求する払出要求信号をパチンコ機１０の払出制御基板１２に対して送信する。
【００６１】
該払出要求信号を受信したパチンコ機１０は、前記払出要求玉数のパチンコ玉の払出を指示する払出信号を払出制御基板１２から玉払出装置１３に対して出力し、これに基づいて、玉払出装置１３から払出要求玉数分のパチンコ玉の払出を行い、該払出の終了に基づいて、実際に払い出したパチンコ玉の数である払出結果玉数を示す払出結果信号を玉貸通信部２１に対して送信する。
【００６２】
ユニット制御部２２では払出結果信号を玉貸通信部２１が受信したことに基づいて、前記払出要求信号に示される払出要求玉数と、該払出結果信号に示される払出結果玉数とを照合し、照合ＯＫである場合には、１度数分の減算処理として、ＲＡＭに記憶している入金金額から同１度数に相当する金額（例えば１００円）を減算すると共に、残度数表示器１４の表示を更新し、カードＲ／Ｗ制御部２５により封入カード４に記録された入金金額からパチンコ玉の貸与に使用された１度数に相当する金額（ここでは１００円）を減算する処理を行う。これら１度数分の玉貸処理がユニット制御部２２のＲＡＭに記憶された入金金額（即ち封入カード４に記録された入金金額であり、ここでは１０００円）が零になるまで繰り返され、該入金金額分の玉貸処理の終了に基づいて、玉貸終了信号をパチンコ機１０の払出制御基板１２に対して送信し、玉貸処理を終了する。この玉貸処理の終了に基づいて、ユニット制御部２２からカードＲ／Ｗ制御部２５に対して入金金額を消費した旨を送信し、カードＲ／Ｗ制御部２５はシステムコントローラ用通信部２８からシステムコントローラ５０に対して消費金額（ここでは１０００円）を送信し、システムコントローラ５０においては、受信した消費金額を集計する。
【００６３】
なおパチンコ機１０において、玉払出装置１３から払い出されたパチンコ玉は、上皿に供給され、発射ハンドルの操作により遊技領域の内部に打ち込まれて、遊技が行われる。
【００６４】
次に図３及び図４を参照して、カードユニット２０においてプリペイドカード５が受け付けられた場合の作用について説明する。以下では、まず図３を用いて通常処理について説明し、図４を用いて当該カードユニット２０への電力の供給が停止したときの処理について説明する。
【００６５】
まず遊技場の営業時において、カードユニット２０がプリペイドカード５を受け付けていない状態（初期状態）では、多機能ランプ３１が緑で点灯しており、紙幣利用可ランプ２３ｂ及び硬貨利用可ランプ２４ｂが点灯している（図３のＳ１００）。この状態で、遊技者が遊技を行おうとして、所有するプリペイドカード５（カードＩＤとしてＣ−０００１が記録されており、カード度数として１０が記録されているものとする）をプリペイドカード挿入口２７ａから挿入すると、プリペイドカードＲ／Ｗ２７がプリペイドカード５を受け付け（Ｓ１１０）、該受付に基づいて、カードＲ／Ｗ制御部２５が、プリペイドカードを受け付けた旨と、貨幣を受け付け不可である旨を示す状態通知をユニット制御部２２に送信する（Ｓ１１１）。
【００６６】
ユニット制御部２２は、受信した状態通知に基づいてプリペイドカード５の受付を認識し、多機能ランプ３１を青で点灯させることによりプリペイドカード５の受付を報知し、貨幣の受付を不可とすると共に、紙幣利用可ランプ２３ｂ及び硬貨利用可ランプ２４ｂを消灯する（Ｓ１１２）。
【００６７】
またカードＲ／Ｗ制御部２５は、プリペイドカードＲ／Ｗ２７により、プリペイドカード５に記録されているカードＩＤとカード度数を読み取って（Ｓ１１３）、該読み取ったカードＩＤ（ここではＣ−０００１）及びカード度数（ここでは１０）と、当該カードユニット２０を特定可能な装置ＩＤを含む使用可否判定要求をシステムコントローラ用通信部２８からシステムコントローラ５０に送信する（Ｓ１１４）。
【００６８】
システムコントローラ５０の制御部５２は、通信部５１が上記使用可否判定要求を受信したことに基づいて使用可否判定を行う（Ｓ１１５）。具体的には、該使用可否判定要求に含まれるカード度数（ここでは１０）と、同含まれるカードＩＤと対応付けてカード度数ＤＢ（図１）で管理しているカード度数（ここでは１０）とを照合して、照合ＯＫ（使用可否判定要求に含まれるカード度数とカード度数ＤＢで管理しているカード度数とが一致する）であったときには、同使用可否判定要求に含まれる装置ＩＤのカードユニット２０に対してプリペイドカード５が使用可である旨の判定結果を示す使用可否判定結果情報を通信部５１より送信する（Ｓ１１６）。なお、照合ＮＧ（使用可否判定要求に含まれるカード度数とカード度数ＤＢで管理しているカード度数とが一致しない）であるときには、プリペイドカード５が使用不可である旨の判定結果を示す使用可否判定結果情報が上記使用可否判定要求に含まれる装置ＩＤのカードユニット２０に対して返信される。
【００６９】
カードユニット２０においては、カードＲ／Ｗ制御部２５が、システムコントローラ用通信部２８によりプリペイドカード５が使用可である旨の判定結果を示す使用可否判定結果情報を受信したことに基づいて、前記読み取ったカードＩＤ（ここではＣ−０００１）及びカード度数（ここでは１０）をユニット制御部２２に送信する（Ｓ１１７）。ユニット制御部２２においては受信したカード度数（ここでは１０）をＲＡＭに記憶し、受信したカードＩＤをＥＥＰＲＯＭ２９に記憶する（Ｓ１１８）。ここで、ユニット制御部２２は、ＲＡＭに記憶しているカード度数を残度数表示器１４に表示する（Ｓ１１９）。ここで、玉貸ボタン１５の操作の受付によりカード玉貸処理を行う状態となる。なお、使用不可である旨の判定結果を示す使用可否判定結果情報を受信したときには、カードＲ／Ｗ制御部２５は、プリペイドカードＲ／Ｗ２７により受け付けているプリペイドカード５を排出する。
【００７０】
ここで玉貸ボタン１５が押圧操作されて玉貸操作が受け付けられると（Ｓ１３０）、表示されているカード度数（＝ＲＡＭに記憶されているカード度数）を使用して以下に説明するように玉貸処理（即ちカード玉貸処理）が行われる（Ｓ１３１）。以下カード玉貸処理について説明する。ユニット制御部２２は、玉貸ボタン１５の押圧操作を検出すると、前記現金玉貸処理の際と同様に、１度数に相当するパチンコ玉数である払出要求玉数のパチンコ玉の払出を要求する払出要求信号をパチンコ機１０の払出制御基板１２に対して送信し、パチンコ機１０は玉払出装置１３から払出要求玉数分のパチンコ玉の払出を行い、該払出の終了に基づいて、実際に払い出したパチンコ玉の数である払出結果玉数を示す払出結果信号をユニット制御部２２に対して送信する。
【００７１】
該払出結果信号を受信したユニット制御部２２は、前記払出要求信号に示される払出要求玉数と、該払出結果信号に示される払出結果玉数とを照合し、照合ＯＫである場合には、ＲＡＭに記憶しているカード度数から１度数を減算して残度数表示器１４に表示された残度数の表示を更新する。カードユニット２０は、これら１度数分の玉貸処理を予め設定された玉貸単位度数分（例えば１〜５の範囲で設定される度数であり、ここでは５度数とする。）だけ繰り返し、該玉貸単位度数分の玉貸処理の終了に基づいて、玉貸終了信号をパチンコ機１０の払出制御基板１２に対して送信し、玉貸処理（カード玉貸処理）を終了する。このとき残度数表示器１４では、減算後のカード度数（ここでは５）が表示される。
【００７２】
またカード玉貸処理の終了に伴い、ユニット制御部２２が使用度数（ここでは玉貸単位度数であり５度数）と、ＥＥＰＲＯＭ２９に記憶しているカードＩＤをカードＲ／Ｗ制御部２５に送信し（Ｓ１３２）、この使用度数及びカードＩＤが、装置ＩＤと共にシステムコントローラ用通信部２８からシステムコントローラ５０に送信される（Ｓ１３３）。システムコントローラ５０においては、制御部５２が、通信部５１により受信したカードＩＤと対応付けて前記カード度数ＤＢで管理しているカード度数から受信した使用度数を減算し（Ｓ１３４）、該使用度数分の減算を行った旨を示す減算完了通知を、受信した装置ＩＤのカードユニット２０に送信する（Ｓ１３５）。カードＲ／Ｗ制御部２５は、システムコントローラ用通信部２８により減算完了通知を受信したことに基づいて、前記Ｓ１３２で受信した使用度数を減算した後のカード度数を、プリペイドカードＲ／Ｗ２７により受け付けているプリペイドカード５に記録して（Ｓ１３６）、該記録処理が終了した旨を示す記録終了通知をユニット制御部２２に送信し（Ｓ１３７）、これを受信したユニット制御部２２は再びカード玉貸処理が可能な状態となる。なお、プリペイドカード５のカード度数が０となったときには、カードＲ／Ｗ制御部２５はプリペイドカードＲ／Ｗ２７により受け付けているプリペイドカード５を返却する。
【００７３】
なおパチンコ機１０において、玉払出装置１３から払い出されたパチンコ玉は、現金玉貸処理と同様に上皿に供給され、発射ハンドルの操作により遊技領域の内部に打ち込まれて、遊技が行われる。
【００７４】
またカード返却ボタン１６が押圧操作されて返却操作が受け付けられると（Ｓ１４０）、残度数表示器１４による度数の表示が中止され（Ｓ１４１）、ユニット制御部２２からカードＲ／Ｗ制御部２５に対してプリペイドカード５の返却を要求する返却要求が送信され（Ｓ１４２）、該カードＲ／Ｗ制御部２５の制御によって、プリペイドカードＲ／Ｗ２７により受け付けているプリペイドカード５が排出されてプリペイドカード挿入口２７ａに返却され（Ｓ１４３）、該カードＲ／Ｗ制御部２５からユニット制御部２２に対して、プリペイドカード５の返却を完了した旨を示す返却完了通知が送信される（Ｓ１４４）と共に、プリペイドカード５の受付が可であり、貨幣の受付が可である旨を示す状態通知も送信される（Ｓ１４５）。この状態通知を受信したユニット制御部２２の制御により、多機能ランプ３１が緑点灯してプリペイドカード５を受付可能である旨が報知されると共に、紙幣利用可ランプ２３ｂ及び硬貨利用可ランプ２４ｂが点灯されて貨幣を受付可能である旨が報知され（Ｓ１４６）、初期状態に戻る。
【００７５】
次に、システムコントローラ５０からプリペイドカード５が使用可である旨の判定結果を示す使用可否判定結果を受信した後に、電断が発生したとき（図３に図示）のカードユニット２０の作用について図４を用いて説明する。このときＥＥＰＲＯＭ２９にはカードＩＤが記憶されている状態である。
【００７６】
電断が発生すると（Ｓ２００）、前述したようにして電源基板３０及びユニット制御部２２により電断が検出され（Ｓ２０１）、ユニット制御部２２がＥＥＰＲＯＭ２９に電断が発生した旨を記録する。その後、電力の供給が復旧したときには、ユニット制御部２２がＥＥＰＲＯＭ２９に電断が発生した旨が記憶されていることを確認することによって該復旧を検出し（Ｓ２０２）、復旧検出に応じた所定の処理を行う。ここでは、ユニット制御部２２は、プリペイドカード５及び貨幣の受付を不可とし、多機能ランプ３１，紙幣利用可ランプ２３ｂ，及び硬貨利用可ランプ２４ｂを消灯した状態とし（Ｓ２０３）、カードＲ／Ｗ制御部２５に電力の供給が復旧した旨を示す起動通知を送信する（Ｓ２０４）。これを受信したカードＲ／Ｗ制御部２５は、プリペイドカードＲ／Ｗ２７により受け付けているプリペイドカード５からカードＩＤとカード度数を読み取って（Ｓ２０５）、読み取ったカードＩＤをユニット制御部２２に送信する（Ｓ２０６）。このカードＩＤを受信したユニット制御部２２は、受信したカードＩＤとＥＥＰＲＯＭ２９に記憶しているカードＩＤとの一致判定を行う（Ｓ２０７）。
【００７７】
ここで、ユニット制御部２２が、カードＩＤが一致すると判定したときには、プリペイドカード５の返却要求をカードＲ／Ｗ制御部２５に対して送信し（Ｓ２１１）、カードＲ／Ｗ制御部２５はこれを受信したことによりプリペイドカードＲ／Ｗ２７により受け付けているプリペイドカード５を返却する（Ｓ２１２）。この返却に伴い、カードＲ／Ｗ制御部２５はユニット制御部２２に対して、返却完了通知を送信する（Ｓ２１３）と共に、プリペイドカード５の受付が可であり、貨幣の受付が可である旨を示す状態通知を送信する（Ｓ２１４）。この状態通知を受信したユニット制御部２２の制御により、多機能ランプ３１が緑点灯してプリペイドカード５を受付可能である旨が報知されると共に、紙幣利用可ランプ２３ｂ及び硬貨利用可ランプ２４ｂが点灯されて貨幣を受付可能である旨が報知され（Ｓ２１５）、初期状態に戻る。
【００７８】
このように、電断前と電力の供給が復旧した後で、受け付けているプリペイドカード５のカードＩＤが一致したときにはプリペイドカード５を返却するので、不正の可能性の低い場合にまでプリペイドカード５が留保されることが無く、遊技場の売上げ低下を招くことが無い。さらに、カード玉貸処理を行うためには、プリペイドカード５を再度受け付けて使用可否判定要求を送信する必要が有るため、不正なプリペイドカード５の使用により遊技場に損害が発生することを防止することができる。
【００７９】
一方、Ｓ２０７におけるカードＩＤの一致判定において、受信したカードＩＤとＥＥＰＲＯＭ２９に記憶しているカードＩＤとが一致しないと判定されたときには、ユニット制御部２２はカードＲ／Ｗ制御部２５に対してカードＩＤが一致しない旨を示すエラー通知を送信し（Ｓ２２１）、多機能ランプ３１を赤で点滅させる（Ｓ２２２）。このように、電断前にＥＥＰＲＯＭ２９に記憶していたカードＩＤと異なるカードＩＤが記録されたプリペイドカード５を留保している旨を報知するので、遊技場の店員は、不正行為が行われた可能性のあるカードユニット２０を把握して迅速に対応することができる。
【００８０】
続けて、カードＲ／Ｗ制御部２５は、エラー通知を受信すると、プリペイドカードＲ／Ｗ２７にプリペイドカード５をロックする信号を送信し、これを受信したプリペイドカードＲ／Ｗ２７は受け付けているプリペイドカード５をロックして留保する（Ｓ２２３）。なお、このときユニット制御部２２は玉貸処理を行わない状態となっている。即ち、玉貸ボタン１５の操作を無効として、玉貸ボタン１５が操作されても玉貸処理を行わない。また、これと同様に、カード返却ボタン１６についても操作を無効とし、カード返却ボタン１６が操作されてもプリペイドカード５を返却しない。
【００８１】
このように電断前と電力の供給が復旧した後で、受け付けているプリペイドカード５のカードＩＤが一致しなければ該プリペイドカード５を返却せずにカードユニット２０内部に留保するので、該カードユニット５に記録されたカード度数が使用されることが無く、電断を悪用したプリペイドカード５の差し替え等の不正により遊技場に損害が発生することを防止することができる。
【００８２】
なお、上記プリペイドカード５が留保されている状態で、遊技場の店員がリセットボタン３２を操作すると（Ｓ２３０）、リセットボタン３２が操作された旨を示すリセットパルスがカードＲ／Ｗ制御部２５に送信される（Ｓ２３１）と共に、ＥＥＰＲＯＭ２９に記憶してあるカードＩＤが消去される（Ｓ２３２）。リセットパルスを受信したカードＲ／Ｗ制御部２５は、プリペイドカードＲ／Ｗ２７により留保されているプリペイドカード５のロックを解除し、該プリペイドカード５を返却する（Ｓ２３３）。返却されたプリペイドカード５は店員により回収されるので、不正の恐れのあるプリペイドカード５を証拠として確保し、検証することができる。
【００８３】
続けてカードＲ／Ｗ制御部２５が、ユニット制御部２２に対して、返却完了通知を送信し（Ｓ２３４）、プリペイドカード５の受付が可であり、貨幣の受付が可である旨を示す状態通知を送信する（Ｓ２３５）。この状態通知を受信したユニット制御部２２の制御により、多機能ランプ３１が緑点灯してプリペイドカード５を受付可能である旨が報知されると共に、紙幣利用可ランプ２３ｂ及び硬貨利用可ランプ２４ｂが点灯されて貨幣を受付可能である旨が報知され（Ｓ２３６）、初期状態に戻る。
【００８４】
［２．第２実施形態に係るカードユニット２０］
次に、図５を参照して、第２実施形態に係るカードユニット２０について説明する。このカードユニット２０は、第１実施形態と異なり、判定手段（ユニット制御部２２）によりカードＩＤが一致していると判定されたときに、受け付けているプリペイドカード５を返却せずに、使用可否判定要求をシステムコントローラ５０に対して再度送信するものであり、その他は第１実施形態と同様である。ここでは、図４のＳ２０７におけるカードＩＤの一致判定（電力の復旧後にプリペイドカードＲ／Ｗ２７により受け付けているプリペイドカード５から読みとったカードＩＤと、ＥＥＰＲＯＭ２９に記憶しているカードＩＤとが一致しているか否かの判定）により、一致していると判定されたときの作用について説明する。
【００８５】
このときユニット制御部２２は、カードＲ／Ｗ制御部２５に対して、使用可否判定要求をシステムコントローラ５０に送信するよう指示する（Ｓ２１０’）と共に、多機能ランプ３１を青で点灯させることによりプリペイドカード５の受付を報知する（Ｓ２１１’）。またカードＲ／Ｗ制御部２５は、図４のＳ２０５で読み取ったカードＩＤとカード度数，及び当該カードユニット２０の装置ＩＤとを含む使用可否判定要求をシステムコントローラ用通信部３２からシステムコントローラ５０に再度送信する（Ｓ２１２’）。
【００８６】
システムコントローラの制御部５２は、通信部５１が上記使用可否判定要求を受信したことに基づいて使用可否判定を行う（Ｓ２１３’）。具体的には、該使用可否判定要求に含まれるカード度数と、同含まれるカードＩＤと対応付けてカード度数ＤＢ（図１）で管理されているカード度数とを照合して、照合ＯＫであったときには、同使用可否判定要求に含まれる装置ＩＤのカードユニット２０に対してプリペイドカード５が使用可である旨の判定結果を示す使用可否判定結果情報を通信部５１より送信する（Ｓ２１４’）。
【００８７】
カードユニット２０においては、カードＲ／Ｗ制御部２５が、システムコントローラ用通信部２８によりプリペイドカード５が使用可である旨の判定結果を示す使用可否判定結果情報を受信したことに基づいて、前記読み取ったカードＩＤ及びカード度数をユニット制御部２２に送信する（Ｓ２１５’）。ユニット制御部２２においては、受信したカード度数をＲＡＭに記憶し、受信したカードＩＤをＥＥＰＲＯＭ２９に記憶する（Ｓ２１６’）。なお、ここで記憶しようとするカードＩＤと同一のカードＩＤが既にＥＥＰＲＯＭ２９には記憶されているため、カードＩＤ記憶処理は行わなくても良い。続けてユニット制御部２２は、貨幣の受付を不可とすると共に、ＲＡＭに記憶しているカード度数を残度数表示器１４に表示する（Ｓ２１７’）。ここで、前記図３のＳ１３０に示したように、玉貸ボタン１５の操作を受付けてカード玉貸処理を行う状態となる。
【００８８】
このように、第２実施形態のカードユニット２０では、電断前と電力の供給が復旧した後で、受け付けているプリペイドカード５のカードＩＤが一致したときには使用可否判定要求を再度送信するので、不正の可能性の低い場合にまでプリペイドカード５が留保されることが無く、遊技場の売上げ低下を招くことが無い一方、不正なプリペイドカード５の使用により遊技場に損害が発生することを防止することができる。さらに、第１実施形態のカードユニット２０のようにプリペイドカード５を返却する場合に比べて、再度のプリペイドカード５を挿入する操作が必要無いので、遊技者の手間を省くことができる。
【００８９】
最後に、本発明に係る遊技用システム１の変形例について説明する。
【００９０】
上記の実施形態では、遊技機での遊技に使用できる有価価値の大きさがプリペイドカード５に記録されたカード度数である例について説明したが、これに限らず、前記有価価値の大きさはプリペイドカード５に記録された金額であっても良い。
【００９１】
上記の実施形態では、記録媒体が、遊技者が購入するプリペイドカード５である例について説明したが、これに限らず、記録媒体は会員登録を行った会員遊技者に対して発行される会員カードであっても良い。この場合には、記録媒体を個々に特定できる記録媒体特定情報は会員カードを個々に特定可能なカードＩＤでであっても良く、会員遊技者を個々に特定可能な会員ＩＤでも良い。この会員カードに記録される前記有価価値の大きさはカード度数でも金額でも良い。
【００９２】
上記の実施形態では、遊技機が、パチンコ玉が外部に払い出される通常のパチンコ機１０である例について説明したが、これに限らず、該遊技機は、例えばパチンコ玉が指触不能に封入された封入式のパチンコ機，メダルやパチンコ玉が外部に払い出されるスロットマシンやパチロット，メダルが外部に払い出されることなく遊技可能なクレジット式のスロットマシン等であっても良く、さらにはパチンコ玉やメダル等を用いずにデータ等により遊技可能な遊技機，遊技盤やパチンコ玉が画像にて表示される画像式のパチンコ機，リールが画像にて表示される画像式のスロットマシン等であっても良く、その種類や形態は特に限定されない。
【００９３】
上記の実施形態では、カードユニット２０が、パチンコ機１０との間でパチンコ玉の貸与に関する信号のやり取りを行うことにより遊技媒体の貸与を行うＣＲユニットである例について説明したが、これに限らず、該カードユニットは、自ら玉払出装置を備えて遊技媒体の貸与を行うものでも良い。また上記の実施形態では、カードユニット２０が、カード玉貸処理と現金玉貸処理を可能なものである例について説明したが、これに限らず、カード玉貸処理のみが可能なものでも良い。また、現金玉貸処理は貨幣の受付による玉貸処理に限らず、プリペイドカードを使用した玉貸処理であっても良い。
【００９４】
上記の実施形態では、現金玉貸処理において、使用可能な貨幣が1000円紙幣，100円硬貨，及び500円硬貨の３種類であり、入金金額が全額使用されて玉貸処理が行われる例について説明したが、これに限らず、2000円紙幣，5000円紙幣，及び10000円紙幣を使用可能としても良い。この場合は、入金金額が封入カード４に一旦記録された後、上記現金玉貸処理と異なり、遊技者が玉貸操作（例えば玉貸ボタンの操作等）を行うことによって、設定した玉貸単位度数に対応する金額分の玉貸処理が行われる。これにより遊技者は、高額紙幣しか持ち合わせていない場合でも、高額紙幣を入金して必要な分だけの玉貸を受けることができる。また、このとき玉貸に使用されなかった残額を精算カード（図示外）に記録して精算装置（図示外）に挿入することで残額が返却されるようにしても良い。
【００９５】
上記の実施形態では、有価価値の大きさを遊技機での遊技に使用させるための遊技使用処理がカード玉貸処理である例について説明したが、これに限らず、該遊技使用処理は、前記メダルを貸与するメダル貸出処理や、前記画像式のパチンコ機やスロットマシンにおいて有価価値の大きさを遊技媒体としての得点に変換して遊技に使用させる処理等でも良い。
。
【００９６】
上記の実施形態では、遊技用装置（カードユニット２０）において玉貸処理（カード玉貸処理，現金玉貸処理）が行われるときに、１度数に相当するパチンコ玉数（例えば消費税を考慮しないのであれば２５個、消費税を考慮するのであれば消費税率に応じて２４個，２３個…等の、具体的な玉数）である払出要求玉数のパチンコ玉の払出を要求する払出要求信号がパチンコ機１０に対して送信される例について説明したが、該玉貸処理は、例えば以下の変形例１又は変形例２に示す如く行われるようにしても良い。
【００９７】
まず変形例１として、パチンコ機１０において、遊技用装置からの１回の払出要求に応じて払い出すパチンコ玉の数（以下「単位払出数」という。）を設定変更可能に構成すると共に、遊技用装置において、該設定された単位払出数を予め記憶可能に構成した場合には、以下のようにして玉貸処理を行う。まず遊技用装置は、玉貸ボタン１５の操作をユニット制御部２２により検出すると、パチンコ玉の払出を要求する払出要求信号（具体的な払出要求玉数は示さない信号）を払出制御基板１２に対して送信する。該払出要求信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、実際に払い出したパチンコ玉の数である払出結果玉数を示す払出結果信号をユニット制御部２２に対して送信する。該払出結果信号を受信した遊技用装置は、前記予め記憶している単位払出数と、該払出結果信号に示される払出結果玉数とを照合し、照合ＯＫである場合には、前記１度数分の減算処理を行い、その後、前記玉貸設定度数分の玉貸処理を行う。
【００９８】
ここで払出結果玉数を示す払出結果信号は、パチンコ機１０の払出制御基板１２から出力されるようにしても良いし、払い出されたパチンコ玉の数を検出する図示しない払出検出センサから出力されるようにしても良い。また遊技用装置において予め記憶しておく単位払出数は、遊技場の管理装置（システムコントローラ５０）で設定し、遊技用装置に配信して記憶するようにすれば良い。そして、例えば前記単位払出数と払出結果玉数との照合ＮＧの場合に、遊技用装置を不能動化するように構成すれば、遊技場が実際の申告よりも小さい単位払出数をパチンコ機１０において設定するような不正を防止できる。
【００９９】
また変形例２として、前記単位払出数が一定（例えば２５個）である場合には、以下のようにして玉貸処理を行う。まず遊技用装置は、玉貸ボタン１５の操作をユニット制御部２２により検出すると、パチンコ玉の払出を要求する払出要求信号（具体的な払出要求玉数は示さない信号）を払出制御基板１２に対して送信する。該払出要求信号を受信したパチンコ機１０は、玉払出装置１３からパチンコ玉の払出が可能であるか否かを確認し、該確認結果が可能である場合には、玉貸準備信号をユニット制御部２２に対して送信する。該玉貸準備信号を検出した遊技用装置は、玉貸指令信号を払出制御基板１２に対して送信し、該玉貸指令信号を受信したパチンコ機１０は、前記単位払出数のパチンコ玉の払出を指示する払出信号を払出制御基板１２から玉払出装置１３に対して出力し、これに基づいて、玉払出装置１３から単位払出数分のパチンコ玉の払出を行い、該払出の終了に基づいて、１度数分の玉貸処理の完了を示す玉貸完了信号をユニット制御部２２に対して送信する。該払出結果信号を受信した遊技用装置は、前記１度数分の減算処理を行い、その後、前記玉貸設定度数分の玉貸処理を行う。
【０１００】
上記の実施形態では、遊技用装置であるカードユニット２０が、現金玉貸処理を行う例について説明したが、これに限らず、現金玉貸処理を行なわず、記録媒体に記録された有価価値の大きさを使用するカード玉貸処理のみを行うようにしても良い。
【０１０１】
上記の実施形態では、遊技用装置への電力の供給が停止しても記憶内容を保持することができ、記録媒体処理手段により読み取った記録媒体特定情報を記憶する記録媒体特定情報記憶手段が不揮発性メモリであるＥＥＰＲＯＭ２９である例について説明したが、これに限らず、該記録媒体特定情報記憶手段は、他の不揮発性メモリであっても良い。また、記録媒体特定情報記憶手段は、電断が発生しても記憶内容を保持可能に構成されているユニット制御部２２のＲＡＭであっても良い。例えば、前記ＲＡＭに対して電力を供給するためのバックアップ電源を電源基板３０に設けておき、電源基板３０が電断を検出したときには、バックアップ電源からＲＡＭに電力を供給するようにしておく。これによれば、プリペイドカード５から読みとったカードＩＤをＲＡＭに記憶しても、電断の発生により記憶内容が損なわれない。また、プリペイドカード５から読みとったカードＩＤをＲＡＭやレジスタに記憶しておき、電源基板３０が電断を検出したときに不揮発性メモリにカードＩＤを記憶するように構成しても良い。さらにＲＡＭ自体がＦｅＲＡＭ等のように不揮発性のメモリにより構成され、カードＩＤを記憶するものでも良い。
【０１０２】
上記の実施形態では、電力供給監視手段であるユニット制御部２２が、ＥＥＰＲＯＭ２９の記憶内容を参照して電断が発生した旨が記憶されていることを確認し、電力の供給が復旧したこと（電断が発生した後に電力が供給されたこと）を検出する例について説明したが、これに限らず、カードユニット２０において正常終了（電源スイッチの操作等による通常の電力オフ）の際にはＥＥＰＲＯＭ２９に記憶されているカードＩＤを消去するようにしておき、ＥＥＰＲＯＭ２９にカードＩＤが記憶されていることにより、電力の供給が復旧したことを検出するようにしても良い。
【０１０３】
上記の実施形態では、記録媒体処理手段により受け付けている記録媒体を返却せずに遊技用装置内部に留保する留保手段がロック機構を備えるプリペイドカードＲ／Ｗ２７であり、受け付けているプリペイドカード５をロックすることにより留保する例について説明したが、これに限らず、留保手段は、例えばプリペイドカードＲ／Ｗ２７の奥（島側）に設けられているカードストッカでも良く、判定手段によりカードＩＤが一致しないと判定されたときにプリペイドカードＲ／Ｗ２７により受け付けているプリペイドカード５がローラによって搬送されカードストッカに留保されるようにしても良い。また、カード返却ボタン１６が操作されてもユニット制御部２２がその旨をカードＲ／Ｗ制御部２５に通知せずプリペイドカード５が排出されない状態を留保としても良く、このとき留保手段はプリペイドカードＲ／Ｗ２７である。
【０１０４】
上記の実施形態では、留保報知手段が多機能ランプ３１であり、記録媒体特定情報記憶手段により記憶している記録媒体特定情報と異なる記録媒体特定情報が記録された記録媒体を前記留保手段により留保している旨を、赤で点滅することにより報知する例について説明したが、これに限らず、例えば、カードユニット２０にスピーカやディスプレイ等を設けてあるときには、これによって報知しても良い。また別のランプを設けて、これにより報知しても良く、前記留保している旨を遊技場の店員が認識することができる態様で報知すれば良い。
【０１０５】
上記の実施形態では、判定手段（ユニット制御部２２）の判定によって、記録媒体特定情報（カードＩＤ）が一致していると判定されたことを条件として、記録媒体処理手段（プリペイドカードＲ／Ｗ２７）により受け付けている記録媒体（プリペイドカード５）を返却する第１実施形態に係る遊技用装置（カードユニット２０）と、上記判定によって記録媒体特定情報（カードＩＤ）が一致していると判定されたことを条件として、使用可否判定要求を管理装置（システムコントローラ５０）に対して再度送信する第２実施形態に係る遊技用装置（カードユニット２０）とを別の実施形態として説明したが、遊技用装置（例えばカードユニット）においていずれかの処理方法を選択可能としても良い。即ち、上記第１実施形態に示した処理又は上記第２実施形態に示した処理のいずれかを設定可能であり、該設定に応じて処理を行う遊技用装置でも良い。また、この設定の入力（選択）は遊技場の管理装置等で行われ、入力結果（選択結果）がこれに接続される各遊技用装置に送信されて入力に応じた設定がなされるようにしても良い。
【０１０６】
上記の実施形態では、遊技用装置（カードユニット２０）において、ユニット制御部２２とカードＲ／Ｗ制御部２５が別々に設けられる例について説明したが、これに限らず、ユニット制御部２２とカードＲ／Ｗ制御部２５が一体であって、該一体の制御部により上記各構成要素（上記の実施形態においてユニット制御部２２に接続される各構成要素及びカードＲ／Ｗ制御部２５に接続される各構成要素）の制御を行うものであっても良い。
【０１０７】
上記の実施形態では、プリペイドカード５のカード度数が０となったときには、プリペイドカードＲ／Ｗ２７により受け付けているプリペイドカード５を返却する例について説明したが、これに限らず、プリペイドカード５のカード度数が０となったときには、遊技用装置（カードユニット）への入金を可能として、入金された金額に応じたカード度数をプリペイドカード５に記録するようにしても良い。このとき、2000円紙幣，5000円紙幣，及び10000円紙幣等の高額紙幣を入金（受付）可能としても良い。
【図面の簡単な説明】
【０１０８】
【図１】図１は本発明に係るカードユニット及びこれに接続される装置の一例を示す機能ブロック図である。
【図２】図２（ａ）はカードユニット及びパチンコ機の一例を表す正面図であり、図２（ｂ）はカードユニットの右断面側面図であり、図２（ｃ）はＸ−Ｘ線断面図である。
【図３】図３はカードユニットが行う通常処理の一例を表す図である。
【図４】図４は第１実施形態に係るカードユニットが行う処理の一例を表す図である。
【図５】図５は第２実施形態に係るカードユニットが行う処理の一例を表す図である。
【符号の説明】
【０１０９】
５…プリペイドカード
１０…パチンコ機
２０…カードユニット
２２…ユニット制御部
２７…プリペイドカードＲ／Ｗ
２８…システムコントローラ用通信部
２９…ＥＥＰＲＯＭ
３０…電源基板
３１…多機能ランプ
５０…システムコントローラ
【図１】
2005211140.tif 000003
【図２】
2005211140.tif 000004
【図３】
2005211140.tif 000005
【図４】
2005211140.tif 000006
【図５】
2005211140.tif 000007